(57)【要約】【課題】操作画面を適切に表示することができる医用画像診断装置及び画像処理装置を提供することである。【解決手段】実施形態に係る医用画像診断装置は、受付部と、表示制御部とを備える。前記受付部は、撮像条件の編集を受け付ける編集画面上で、該編集画面に含まれるパラメータに対するパラメータ値の設定指示を受け付ける。前記表示制御部は、前記編集画面上で前記パラメータ値の設定指示を受け付けると、複数の編集画面を互いに重畳させて並べて表示するとともに重畳部分を半透明で表示し、該パラメータ値の設定により影響を受ける他のパラメータを強調表示する。【選択図】図１
2013202087.tif 000002
【特許請求の範囲】
【請求項１】
撮像条件の編集を受け付ける編集画面上で、該編集画面に含まれるパラメータに対するパラメータ値の設定指示を受け付ける受付部と、
前記編集画面上で前記パラメータ値の設定指示を受け付けると、複数の編集画面を互いに重畳させて並べて表示するとともに重畳部分を半透明で表示し、該パラメータ値の設定により影響を受ける他のパラメータを強調表示する表示制御部と
を備えたことを特徴とする医用画像診断装置。
【請求項２】
前記表示制御部は、前記パラメータ値の設定により影響を受ける他のパラメータを含む編集画面を特定し、特定した編集画面を最前面に配置して、複数の編集画面を並べて表示することを特徴とする請求項１に記載の医用画像診断装置。
【請求項３】
前記表示制御部は、複数の編集画面を斜め方向から視た態様で互いに重畳させて並べて表示するとともに重畳部分を半透明で表示することを特徴とする請求項１又は２に記載の医用画像診断装置。
【請求項４】
前記表示制御部は、複数の編集画面を上下方向及び左右方向の少なくとも一方の方向にずらした態様で互いに重畳させて並べて表示するとともに重畳部分を半透明で表示することを特徴とする請求項１又は２に記載の医用画像診断装置。
【請求項５】
前記複数の編集画面は、同一のシリーズに属するパラメータを、複数の編集画面に分類するものであって、
前記表示制御部は、前記他のパラメータとして、前記設定指示を受け付けたパラメータと同一のシリーズに属するパラメータを特定することを特徴とする請求項１〜４のいずれか一つに記載の医用画像診断装置。
【請求項６】
前記複数の編集画面は、異なるシリーズに属するパラメータを、シリーズ毎の編集画面に分類するものであって、
前記表示制御部は、前記他のパラメータとして、前記設定指示を受け付けたパラメータと異なるシリーズに属するパラメータを特定することを特徴とする請求項１〜４のいずれか一つに記載の医用画像診断装置。
【請求項７】
撮像条件の編集を受け付ける編集画面上で、該編集画面に含まれるパラメータに対するパラメータ値の設定指示を受け付ける受付部と、
前記編集画面上で前記パラメータ値の設定指示を受け付けると、複数の編集画面を互いに重畳させて並べて表示するとともに重畳部分を半透明で表示し、該パラメータ値の設定により影響を受ける他のパラメータを強調表示する表示制御部と
を備えたことを特徴とする画像処理装置。
【請求項８】
操作画面上で、該操作画面に対する操作を受け付ける受付部と、
前記操作画面上で前記操作を受け付けると、複数の操作画面を互いに重畳させて並べて表示するとともに重畳部分を半透明で表示する表示制御部と
を備えたことを特徴とする画像処理装置。
【発明の詳細な説明】
【技術分野】
【０００１】
本発明の実施形態は、医用画像診断装置及び画像処理装置に関する。
【背景技術】
【０００２】
一般に、医用画像診断装置は、操作者が操作するためのコンソール（console）を備え、操作者は、コンソールに表示された操作画面を操作することで、医用画像診断装置を操作する。ここで、医用画像診断装置とは、磁気共鳴イメージング装置（以下、ＭＲＩ（Magnetic  Resonance  Imaging）装置）やＸ線ＣＴ（Computed  Tomography）装置、超音波診断装置などである。例えば、ＭＲＩ装置の場合、操作者は、コンソールに表示された編集画面上で、撮像条件を編集する操作を行う。
【０００３】
ここで、コンソールには、用途に応じた複数の操作画面が表示される場合が多くある。例えば、ＭＲＩ装置の場合、撮像条件には多数のパラメータが含まれるが、この多数のパラメータを１つの編集画面に一度に表示しようとすると、操作者の視認性が低下する。このため、ＭＲＩ装置は、多数のパラメータを複数の編集画面に分類し、編集対象の編集画面を最前面に表示する。
【０００４】
ところで、パラメータ同士に依存性がある場合、特定のパラメータのパラメータ値の変更に伴い他の関連するパラメータが影響を受け、他のパラメータのパラメータ値も変更されることがある。影響を受けたパラメータが、最前面に表示された編集画面とは異なる編集画面に含まれる場合、従来のＭＲＩ装置は、編集画面に付されたタブを強調表示するなどして、操作者に、他のパラメータに影響が及んだことを通知する。すると、操作者は、例えば、強調表示されたタブを選択して最前面の編集画面を切り替え、切り替え後の編集画面上で、影響を受けたパラメータを確認する。すなわち、操作者は、影響を受けたパラメータを確認するために、編集画面の表示順序を変更する操作を行わなければならない。
【先行技術文献】
【特許文献】
【０００５】
【特許文献１】特開２００６−２５５１８９号公報
【発明の概要】
【発明が解決しようとする課題】
【０００６】
本発明が解決しようとする課題は、操作画面を適切に表示することができる医用画像診断装置及び画像処理装置を提供することである。
【課題を解決するための手段】
【０００７】
実施形態に係る医用画像診断装置は、受付部と、表示制御部とを備える。前記受付部は、撮像条件の編集を受け付ける編集画面上で、該編集画面に含まれるパラメータに対するパラメータ値の設定指示を受け付ける。前記表示制御部は、前記編集画面上で前記パラメータ値の設定指示を受け付けると、複数の編集画面を互いに重畳させて並べて表示するとともに重畳部分を半透明で表示し、該パラメータ値の設定により影響を受ける他のパラメータを強調表示する。
【図面の簡単な説明】
【０００８】
【図１】図１は、第１の実施形態に係る医用画像診断装置の構成を示すブロック図である。
【図２】図２は、第１の実施形態に係る編集画面を示す図である。
【図３】図３は、第１の実施形態に係る編集画面の表示制御を示す図である。
【図４】図４は、第１の実施形態に係る制御部の構成を示すブロック図である。
【図５】図５は、第１の実施形態に係る表示制御の処理手順を示すフローチャートである。
【図６】図６は、第１の実施形態の変形例１に係る編集画面を示す図である。
【図７】図７は、第２の実施形態に係る編集画面の表示制御を示す図である。
【図８】図８は、第２の実施形態に係る表示制御の処理手順を示すフローチャートである。
【発明を実施するための形態】
【０００９】
（第１の実施形態）
以下、医用画像診断装置及び画像処理装置の実施形態を説明する。図１は、第１の実施形態に係る医用画像診断装置の構成を示すブロック図である。図１に示すように、第１の実施形態に係る医用画像診断装置は、ＭＲＩ装置１００である。なお、ＭＲＩ装置１００に被検体Ｐは含まれない。
【００１０】
静磁場磁石１は、中空の円筒形状に形成され、内部の空間に一様な静磁場を発生する。静磁場磁石１は、例えば、永久磁石、超伝導磁石などである。傾斜磁場コイル２は、中空の円筒形状に形成され、内部の空間に傾斜磁場を発生する。具体的には、傾斜磁場コイル２は、静磁場磁石１の内側に配置され、傾斜磁場電源３から電流の供給を受けて、傾斜磁場を発生する。傾斜磁場電源３は、シーケンス制御部１０から送信される制御信号に従って、傾斜磁場コイル２に電流を供給する。
【００１１】
寝台４は、被検体Ｐが載置される天板４ａを備え、天板４ａを、被検体Ｐが載置された状態で、撮像口である傾斜磁場コイル２の空洞内へ挿入する。通常、寝台４は、長手方向が静磁場磁石１の中心軸と平行になるように設置される。寝台制御部５は、寝台４を駆動して、天板４ａを長手方向及び上下方向へ移動する。
【００１２】
送信コイル６は、高周波磁場を発生する。具体的には、送信コイル６は、傾斜磁場コイル２の内側に配置され、送信部７から高周波パルス（以下、ＲＦ（Radio  Frequency）パルス）の供給を受けて、高周波磁場を発生する。送信部７は、シーケンス制御部１０から送信される制御信号に従って、ラーモア周波数に対応するＲＦパルスを送信コイル６に送信する。
【００１３】
受信コイル８は、磁気共鳴信号（以下、ＭＲ（Magnetic  Resonance）信号）を受信する。具体的には、受信コイル８は、傾斜磁場コイル２の内側に配置され、高周波磁場の影響によって被検体Ｐから放射されるＭＲ信号を受信する。また、受信コイル８は、受信したＭＲ信号を受信部９に出力する。
【００１４】
受信部９は、シーケンス制御部１０から送られる制御信号に従って、受信コイル８から出力されたＭＲ信号に基づきＭＲ信号データを生成する。具体的には、受信部９は、受信コイル８から出力されたＭＲ信号をデジタル変換することによってＭＲ信号データを生成し、生成したＭＲ信号データを、シーケンス制御部１０を介して計算機システム２０に送信する。なお、受信部９は、静磁場磁石１や傾斜磁場コイル２などを備える架台装置側に備えられていてもよい。
【００１５】
シーケンス制御部１０は、傾斜磁場電源３、送信部７、及び受信部９を制御する。具体的には、シーケンス制御部１０は、計算機システム２０から送信されたパルスシーケンス実行データに基づく制御信号を、傾斜磁場電源３、送信部７、及び受信部９に送信する。
【００１６】
計算機システム２０は、インタフェース部２１と、画像再構成部２２と、記憶部２３と、入力部２４と、表示部２５と、制御部２６とを備える。インタフェース部２１は、シーケンス制御部１０に接続され、シーケンス制御部１０と計算機システム２０との間で送受信されるデータの入出力を制御する。画像再構成部２２は、シーケンス制御部１０から送信されたＭＲ信号データから画像データを再構成し、再構成した画像データを記憶部２３に格納する。
【００１７】
記憶部２３は、撮像条件に含まれるパラメータに設定されたパラメータ値、画像再構成部２２によって格納された画像データや、ＭＲＩ装置１００において用いられるその他のデータを記憶する。例えば、記憶部２３は、ＲＡＭ（Random  Access  Memory）、フラッシュメモリ（flash  memory）などの半導体メモリ素子、ハードディスク、光ディスクなどである。
【００１８】
入力部２４は、撮像条件を編集するための各種指示や撮像指示などを操作者から受け付ける。例えば、入力部２４は、撮像条件に含まれるパラメータに対するパラメータ値の設定指示などを受け付ける。例えば、入力部２４は、マウス、キーボードなどである。表示部２５は、編集画面や画像などを表示する。例えば、表示部２５は、液晶表示器などである。
【００１９】
制御部２６は、上述した各部を制御することによってＭＲＩ装置１００を総括的に制御する。例えば、制御部２６は、撮像条件の編集を操作者から受け付けると、受け付けた撮像条件に基づいてパルスシーケンス実行データを生成し、生成したパルスシーケンス実行データをシーケンス制御部１０に送信する。例えば、制御部２６は、ＡＳＩＣ（Application  Specific  Integrated  Circuit）、ＦＰＧＡ（Field  Programmable  Gate  Array）などの集積回路、ＣＰＵ（Central  Processing  Unit）、ＭＰＵ（Micro  Processing  Unit）などの電子回路である。
【００２０】
さて、上述した第１の実施形態に係るＭＲＩ装置１００は、編集画面の表示制御をすることで編集画面を適切に表示し、編集操作の効率性や視認性の向上を実現する。具体的には、第１の実施形態に係るＭＲＩ装置１００は、編集画面上でパラメータ値の設定指示を受け付けると、複数の編集画面を互いに重畳させて並べて表示するとともに重畳部分を半透明で表示し、パラメータ値の設定により影響を受ける他のパラメータを強調表示する。
【００２１】
図２は、第１の実施形態に係る編集画面を示す図である。第１の実施形態に係るＭＲＩ装置１００は、多数のパラメータを複数の編集画面に分類し、撮像条件の編集中には、編集対象の編集画面を最前面、且つ、編集画面の表示領域の全面に表示する。なお、編集画面の表示領域とは、表示部２５の表示面全体のうち、一部又は全部に割り当てられた領域のことであり、任意に設定することが可能である。例えば、ＭＲＩ装置１００は、表示部２５の表示面の右下領域に編集画面の表示領域を設け、他の領域には、位置決め用の画像を表示する領域などを設ける。
【００２２】
例えば、ＭＲＩ装置１００は、図２に示すように、多数のパラメータを、タブ『Ｂａｓｉｃ』の編集画面、タブ『ＳＡＲ（Specific  Absorption  Rate）』の編集画面、及びタブ『Ａｄｖａｎｃｅ』の編集画面に分類する。例えば、タブ『Ｂａｓｉｃ』の編集画面には、撮像条件に含まれる基本的なパラメータが分類される。また、例えば、タブ『ＳＡＲ』の編集画面には、ＳＡＲにより撮像条件が制限された場合に、これを緩和するために変更し得るパラメータが分類される。また、例えば、タブ『Ａｄｖａｎｃｅ』の編集画面には、その他のパラメータが分類される。なお、必ずしも編集画面にタブが付されていなくてもよい。
【００２３】
図３は、第１の実施形態に係る編集画面の表示制御を示す図である。図３に示すように、第１の実施形態に係るＭＲＩ装置１００は、撮像条件の編集を受け付ける前や撮像条件の編集を受け付けた後に、複数の編集画面を、斜め方向から視た態様で互いに重畳させて並べて表示するとともに、重畳部分を半透明で表示する。
【００２４】
例えば、第１の実施形態に係るＭＲＩ装置１００は、編集プロセスの起動に伴い、図３の（Ａ）に示すように、編集画面Ｐ１、編集画面Ｐ２、及び編集画面Ｐ３を、編集画面の表示領域に、あたかも斜視図のような態様で、且つ、互いに一部を重畳させて並べて表示する。言い換えると、各編集画面は、いずれも、表示部２５の表示面に対して奥行き方向に斜めの角度がつくように、且つ、互いに一部が重畳されるように並べて表示される。なお、編集画面Ｐ１は、例えば『Ｂａｓｉｃ』に相当する編集画面であり、編集画面Ｐ２は、例えば『ＳＡＲ』に相当する編集画面であり、編集画面Ｐ３は、例えば『Ａｄｖａｎｃｅ』に相当する編集画面である。
【００２５】
また、第１の実施形態に係るＭＲＩ装置１００は、図３の（Ａ）に示すように、重畳部分を半透明で表示する。例えば、図３の（Ａ）において、編集画面Ｐ１と編集画面Ｐ２と編集画面Ｐ３とは互いに一部が重畳しているが、操作者は、編集画面Ｐ１の裏側に位置する編集画面Ｐ２の内容も、編集画面Ｐ１を透過して視認することができる（図３において点線で表現）。また、操作者は、編集画面Ｐ１及び編集画面Ｐ２の裏側に位置する編集画面Ｐ３の内容も、編集画面Ｐ１及び編集画面Ｐ２を透過して視認することができる（図３においてより細かい点線で表現）。また、操作者は、編集画面Ｐ２の裏側に位置する編集画面Ｐ３の内容も、編集画面Ｐ２を透過して視認することができる（図３において点線で表現）。
【００２６】
ここで、重畳度合いや透明度合いは、任意に設定することが可能である。必ずしも全ての編集画面で同じ重畳度合いや透明度合いであることが求められるわけではなく、また、必ずしも編集画面内で同一の透明度合いであることが求められるわけでもない。重畳度合いや透明度合いは、操作者に「どの編集画面に含まれるどの位置のパラメータであるか」を認識させる程度に、適宜調整されることが望ましい。なお、全ての情報を表示した上で重畳・透過させる場合に限らず、ＭＲＩ装置１００は、文字を省略したり、配置を若干変更するなど、表示内容を適宜簡略化した上で、各編集画面を重畳・透過させてもよい。操作者は、どの編集画面に含まれるどの位置のパラメータは何のパラメータであるかを経験から記憶していることがある。このような場合、例えば、必ずしも文字までが視認可能である必要はない。
【００２７】
続いて、第１の実施形態に係るＭＲＩ装置１００は、編集画面の選択操作を受け付けると、選択された編集画面を最前面、且つ、編集画面の表示領域の全面に表示する。例えば、ＭＲＩ装置１００は、図３の（Ａ）に示すように、編集画面Ｐ１上でクリックなどの選択操作を受け付けると、図３の（Ｂ）に示すように、選択された編集画面Ｐ１を最前面、且つ、全面に表示する。こうして、編集画面Ｐ１は、編集対象の編集画面として、最前面に表示される。そして、ＭＲＩ装置１００は、最前面に表示された編集画面Ｐ１上で、この編集画面Ｐ１に含まれるパラメータに対するパラメータ値の設定指示を受け付ける。なお、ここでいう「全面」は、必ずしも領域の全てであることが求められるわけではなく、編集操作に適した大きさで編集画面が表示されればよい。
【００２８】
次に、第１の実施形態に係るＭＲＩ装置１００は、パラメータ値の設定指示を受け付けると、再び、複数の編集画面を斜め方向から視た態様で互いに重畳させて並べて表示するとともに、重畳部分を半透明で表示する。このとき、ＭＲＩ装置１００は、パラメータ値の設定により影響を受ける他のパラメータが存在する場合に、この他のパラメータを特定し、特定した他のパラメータを強調表示する。
【００２９】
例えば、ＭＲＩ装置１００は、編集画面Ｐ１上で受け付けたパラメータ値の設定により影響を受ける他のパラメータが編集画面Ｐ２に含まれるパラメータであることを特定し、図３の（Ｃ）に示すように、特定したパラメータを、編集画面Ｐ２上で強調表示する。例えば、ＭＲＩ装置１００は、該当するパラメータの文字や枠を赤色で表示したり、点滅させる。また、ＭＲＩ装置１００は、該当するパラメータのみならず、このパラメータを含む編集画面全体を強調表示してもよい。例えば、ＭＲＩ装置１００は、編集画面Ｐ２の枠を赤色で表示したり、点滅させてもよい。なお、強調表示は、赤色や点滅に限られるものではなく、任意に設定することが可能である。
【００３０】
このように、複数の編集画面が互いに重畳して並べて表示されるとともに、重畳部分が半透明で表示される結果、操作者は、編集画面を切り替える操作をせずに、影響を受けたパラメータを確認することができ、編集操作の効率性を向上することが可能である。また、操作者は、一見するのみで「どの編集画面に含まれるどの位置のパラメータが影響を受けたか」を認識することができ、視認性を向上することが可能である。
【００３１】
その後、第１の実施形態に係るＭＲＩ装置１００は、再び、編集画面の選択操作を受け付けると、選択された編集画面を最前面、且つ、編集画面の表示領域の全面に表示する。例えば、ＭＲＩ装置１００は、図３の（Ｃ）に示すように、編集画面Ｐ２上でクリックなどの選択操作を受け付けると、図３の（Ｄ）に示すように、選択された編集画面Ｐ２を最前面、且つ、全面に表示する。こうして、編集画面Ｐ２は、編集対象の編集画面として、最前面に表示される。そして、ＭＲＩ装置１００は、最前面に表示された編集画面Ｐ２上で、この編集画面Ｐ２に含まれるパラメータに対するパラメータ値の設定指示を受け付ける。
【００３２】
さて、上述した編集画面の表示制御は、制御部２６などによって実現される。図４は、第１の実施形態に係る制御部２６の構成を説明するための図である。図４に示すように、制御部２６は、パラメータ値受付部２６ａと、編集画面表示制御部２６ｂとを備える。
【００３３】
パラメータ値受付部２６ａは、表示部２５に表示された編集画面上で、編集画面に含まれるパラメータに対するパラメータ値の設定指示を受け付ける。具体的には、パラメータ値受付部２６ａは、編集画面上でパラメータ値の設定指示を受け付けると、受け付けたパラメータ値を撮像条件に反映して記憶部２３に格納するとともに、設定指示を受け付けた旨を編集画面表示制御部２６ｂに通知する。
【００３４】
編集画面表示制御部２６ｂは、編集画面上でパラメータ値の設定指示が受け付けられると、複数の編集画面を互いに重畳させて並べて表示するとともに重畳部分を半透明で表示し、パラメータ値の設定により影響を受ける他のパラメータを強調表示する。具体的には、編集画面表示制御部２６ｂは、パラメータ値受付部２６ａから設定指示を受け付けた旨の通知を受け取ると、パラメータ値を計算して影響を受ける他のパラメータを特定し、複数の編集画面を表示する際に、特定した他のパラメータを強調表示するように制御する。
【００３５】
図５は、第１の実施形態に係る表示制御の処理手順を示すフローチャートである。例えば、編集画面表示制御部２６ｂは、編集プロセスの起動に伴い、編集画面Ｐ１、編集画面Ｐ２、及び編集画面Ｐ３を、あたかも斜視図のような態様で互いに重畳させて並べて表示するとともに、重畳部分を半透明で表示する（ステップＳ１０１）。
【００３６】
続いて、編集画面表示制御部２６ｂは、編集画面の選択操作を受け付けたか否かを判定し（ステップＳ１０２）、受け付けた場合には（ステップＳ１０２，Ｙｅｓ）、選択された編集画面を最前面、且つ、編集画面の表示領域の全面に表示する（ステップＳ１０３）。
【００３７】
一方、パラメータ値受付部２６ａは、表示部２５に表示された編集画面上で、編集画面に含まれるパラメータに対するパラメータ値の設定指示を受け付けたか否かを判定し（ステップＳ１０４）、受け付けた場合には（ステップＳ１０４，Ｙｅｓ）、その旨を編集画面表示制御部２６ｂに通知する。なお、ひとつの設定指示に複数のクリック操作が含まれる場合など設定指示の完了を判定することが難しい場合、パラメータ値受付部２６ａは、例えば、パラメータ値の設定指示の操作を最後に受け付けてから所定時間経過後に、パラメータ値の設定指示を受け付けた旨を編集画面表示制御部２６ｂに通知すればよい。あるいは、パラメータ値受付部２６ａは、例えば、操作者に設定指示の完了ボタンを押下させてもよい。
【００３８】
すると、編集画面表示制御部２６ｂは、パラメータ値を計算して影響を受ける他のパラメータを特定し（ステップＳ１０５〜Ｓ１０６）、３つの編集画面を再び重畳・透過表示する際に、特定した他のパラメータを強調表示する（ステップＳ１０７）。
【００３９】
ここで、編集画面表示制御部２６ｂは、既存のアルゴリズムを用いてパラメータ値を計算し、影響を受ける他のパラメータを特定すればよい。例えば、ＭＲＩ装置による撮像においては、撮像計画段階においてパラメータ値に適宜制限を加えることで、ＳＡＲの値が許容値を超過しないように制御される。このＳＡＲの値は、例えば、静磁場の２乗に比例し、フリップ角の２乗に比例し、一定時間内のＲＦパルスの数に比例することなどが既知である。このため、このような既知の関係から、ＳＡＲの値と、撮像条件に含まれる複数のパラメータとの数学的な関係も既知となり、既知のアルゴリズムが予め生成される。例えば、編集画面表示制御部２６ｂは、ＳＡＲ＝ｆ（パラメータ『スライス数』、パラメータ『ＴＲ（Repetition  Time）』、パラメータ『ＦＡ（フリップ角（Flip  Angle）』、）という計算式を、既知のアルゴリズムとして予め記憶し、この既存のアルゴリズムを用いて、影響を受ける他のパラメータを特定すればよい。
【００４０】
例えば、パラメータ『スライス数』及びパラメータ『ＴＲ』が編集画面Ｐ１に含まれ、パラメータ『ＦＡ』が編集画面Ｐ２に含まれていたとする。パラメータ値受付部２６ａが、編集画面Ｐ１上でパラメータ『スライス数』に対するパラメータ値の設定指示を受け付けると、編集画面表示制御部２６ｂは、既存のアルゴリズムを用いてパラメータ値を計算し、影響を受ける他のパラメータとして、パラメータ『ＦＡ』を特定する。すると、編集画面表示制御部２６ｂは、３つの編集画面を再び重畳・透過表示する際に、編集画面Ｐ２上で、特定したパラメータ『ＦＡ』を強調表示する。なお、パラメータ『ＦＡ』のパラメータ値は、例えば、別途制御部２６による計算処理などによって既に変更されている。
【００４１】
なお、第１の実施形態においては、編集画面表示制御部２６ｂ自身がパラメータ値を計算して影響を受ける他のパラメータを特定する例を説明したが、実施形態はこれに限られるものではない。例えば、編集画面表示制御部２６ｂは、制御部２６から計算結果の通知を受け取ることで、影響を受けた他のパラメータを特定してもよい。
【００４２】
その後、編集画面表示制御部２６ｂは、編集を終了する旨の操作を受け付けたか否かを判定し（ステップＳ１０８）、編集を終了していない場合には（ステップＳ１０８，Ｎｏ）、再び、ステップＳ１０２の処理に戻る。一方、編集を終了した場合には（ステップＳ１０８，Ｙｅｓ）、編集画面表示制御部２６ｂは、編集画面を終了させるなどして、編集プロセスを終了する。
【００４３】
なお、第１の実施形態においては、編集画面を３つと想定して説明したが、実施形態はこれに限られるものではなく、編集画面の数は任意に変更可能である。また、第１の実施形態においては、編集プロセスの起動や、設定指示の受け付けに伴い、自動的に３つの編集画面を重畳・透過表示する例を説明したが、実施形態はこれに限られるものではない。例えば、ＭＲＩ装置１００は、重畳・透過表示する旨の指示を受け付けて（重畳・透過表示ボタンの押下など）重畳・透過表示してもよい。あるいは、例えば、ＭＲＩ装置１００は、編集画面上のマウスカーソル（矢印）が編集画面外に外されたことを契機に、重畳・透過表示してもよい。
【００４４】
また、第１の実施形態においては、複数の編集画面を斜め方向から視た態様で互いに重畳させて並べて表示する例を説明したが、実施形態はこれに限られるものではない。図６は、第１の実施形態の変形例１に係る編集画面を示す図である。例えば、編集画面表示制御部２６ｂは、複数の編集画面を上下方向及び左右方向の少なくとも一方の方向にずらした態様で互いに重畳させて並べて表示してもよい。例えば、図６において、編集画面表示制御部２６ｂは、複数の編集画面を、上下方向及び左右方向の両方向にずらした態様で互いに重畳させ、並べて表示している。この場合にも、重畳度合いや透明度合いは、操作者に「どの編集画面に含まれるどの位置のパラメータであるか」を認識させる程度に、適宜調整されることが望ましい。また、斜め方向の角度なども任意に変更することができる。
【００４５】
上述したように、第１の実施形態によれば、ＭＲＩ装置１００は、編集画面を適切に表示することができる。すなわち、第１の実施形態によれば、複数の編集画面が互いに重畳して並べて表示されるとともに、重畳部分が半透明で表示される結果、操作者は、編集画面を切り替える操作をせずに、影響を受けたパラメータを確認することができ、編集操作の効率性を向上することが可能である。また、操作者は、一見するのみで「どの編集画面に含まれるどの位置のパラメータが影響を受けたか」を認識することができ、視認性を向上することが可能である。
【００４６】
なお、上述の第１の実施形態においては、パラメータ『スライス数』と、パラメータ『ＴＲ』と、パラメータ『ＦＡ』との間に影響関係が存在する例を挙げて説明したが、実施形態はこれに限られるものではない。
【００４７】
例えば、脂肪抑制パルスの印加有無を示すパラメータ『Ｆａｔｓａｔ  Ｐｕｌｓｅ』と、収集方式の種別を示すパラメータ『Ｓｅｇｍｅｎｔ  Ｔｙｐｅ』との間にも、影響関係が存在する。例えば、収集方式としてＳｗｉｒｌ法を選択した場合には、脂肪抑制パルスを印加することができない、といった影響関係が存在する。例えば、パラメータ『Ｓｅｇｍｅｎｔ  Ｔｙｐｅ』が編集画面Ｐ１に含まれ、パラメータ『Ｆａｔｓａｔ  Ｐｕｌｓｅ』が編集画面Ｐ２に含まれていたとする。パラメータ値受付部２６ａが、編集画面Ｐ１上で、パラメータ『Ｓｅｇｍｅｎｔ  Ｔｙｐｅ』に対して『Ｓｗｉｒｌ』を選択する設定指示を受け付けると、編集画面表示制御部２６ｂは、影響を受ける他のパラメータとして、パラメータ『Ｆａｔｓａｔ  Ｐｕｌｓｅ』を特定する。そして、編集画面表示制御部２６ｂは、複数の編集画面を再び重畳・透過表示する際に、編集画面Ｐ２上で、特定したパラメータ『Ｆａｔｓａｔ  Ｐｕｌｓｅ』を強調表示する。なお、パラメータ『Ｆａｔｓａｔ  Ｐｕｌｓｅ』のパラメータ値は、例えば『ＯＮ』から『ＯＦＦ』に変更されている。
【００４８】
（第２の実施形態）
続いて、第２の実施形態に係るＭＲＩ装置１００を説明する。第２の実施形態に係るＭＲＩ装置１００は、第１の実施形態に係るＭＲＩ装置１００と同様の構成を有するが、複数の編集画面を重畳・透過表示する際に順序を入れ替える点が異なる。なお、第１の実施形態において説明した編集画面や表示制御の様々なバリエーションは、第２の実施形態においても全て同様に適用することが可能である。
【００４９】
図７は、第２の実施形態に係る編集画面の表示制御を示す図である。図７の（Ａ）に示すように、第２の実施形態に係るＭＲＩ装置１００は、第１の実施形態と同様、編集プロセスの起動に伴い、編集画面Ｐ１、編集画面Ｐ２、及び編集画面Ｐ３を、あたかも斜視図のような態様で、且つ、互いに一部を重畳させて並べて表示する。また、第２の実施形態に係るＭＲＩ装置１００は、第１の実施形態と同様、重畳部分を半透明で表示する。
【００５０】
続いて、第２の実施形態に係るＭＲＩ装置１００は、第１の実施形態と同様、図７の（Ａ）に示すように、編集画面Ｐ１上でクリックなどの選択操作を受け付けると、図７の（Ｂ）に示すように、選択された編集画面Ｐ１を最前面、且つ、編集画面の表示領域の全面に表示する。
【００５１】
次に、第２の実施形態に係るＭＲＩ装置１００は、第１の実施形態と同様、パラメータ値の設定指示を受け付けると、再び、複数の編集画面を斜め方向から視た態様で互いに重畳させて並べて表示するとともに、重畳部分を半透明で表示する。このとき、第２の実施形態に係るＭＲＩ装置１００は、第１の実施形態と同様、パラメータ値の設定により影響を受ける他のパラメータを特定し、特定した他のパラメータを強調表示する。これに加え、第２の実施形態に係るＭＲＩ装置１００は、他のパラメータを含む編集画面を特定し、特定した編集画面を最前面に配置した上で、複数の編集画面を並べて表示する。
【００５２】
例えば、ＭＲＩ装置１００は、編集画面Ｐ１上で受け付けたパラメータ値の設定により影響を受ける他のパラメータが編集画面Ｐ２に含まれるパラメータであることを特定する。そして、ＭＲＩ装置１００は、図７の（Ｃ）に示すように、特定したパラメータを編集画面Ｐ２上で強調表示するとともに、編集画面Ｐ２を最前面に配置した上で、複数の編集画面を並べて表示する。
【００５３】
その後、第２の実施形態に係るＭＲＩ装置１００は、第１の実施形態と同様、図７の（Ｃ）に示すように、編集画面Ｐ２上でクリックなどの選択操作を受け付けると、図７の（Ｄ）に示すように、選択された編集画面Ｐ２を最前面、且つ、編集画面の表示領域の全面に表示する。こうして、編集画面Ｐ２は、編集対象の編集画面として、最前面に表示される。そして、ＭＲＩ装置１００は、最前面に表示された編集画面Ｐ２上で、この編集画面Ｐ２に含まれるパラメータに対するパラメータ値の設定指示を受け付ける。
【００５４】
図８は、第２の実施形態に係る表示制御の処理手順を示すフローチャートである。図８に示すように、第２の実施形態に係る編集画面表示制御部２６ｂは、ステップＳ２０６において、影響を受けるパラメータを特定するとともにこのパラメータが含まれる編集画面を特定する点が、第１の実施形態と異なる。なお、第１の実施形態においても、編集画面を特定してもよい。また、第２の実施形態に係る編集画面表示制御部２６ｂは、ステップＳ２０７において、特定した編集画面を最前面に配置した上で３つの編集画面を重畳・透過表示する点が、第１の実施形態と異なる。すなわち、例えば、ステップＳ２０１においては、最前面が編集画面Ｐ１、中間面が編集画面Ｐ２、最背面が編集画面Ｐ３であったが、ステップＳ２０７においては、最前面が編集画面Ｐ２、中間面が編集画面Ｐ１、最背面が編集画面Ｐ３となる。
【００５５】
上述したように、第２の実施形態によれば、ＭＲＩ装置１００は、更に、影響を受けたパラメータが最前面になるように並べ替えをした上で重畳・透過表示するので、編集操作の効率性や視認性をより向上することが可能である。
【００５６】
（その他の実施形態）
実施形態は、上述した第１の実施形態及び第２の実施形態に限られるものではない。
【００５７】
例えば、第１の実施形態及び第２の実施形態においては、複数の編集画面が、同一のシリーズに属するパラメータを複数の編集画面に分類するものであると想定した。このため、編集画面表示制御部２６ｂは、他のパラメータとして、設定指示を受け付けたパラメータと同一のシリーズに属するパラメータを特定した。しかしながら、実施形態はこれに限られるものではない。複数の編集画面は、異なるシリーズに属するパラメータを、シリーズ毎の編集画面に分類するものであってもよい。この場合、編集画面表示制御部２６ｂは、影響を受けた他のパラメータとして、設定指示を受け付けたパラメータと異なるシリーズに属するパラメータを特定する。
【００５８】
なお、一般に、医用画像診断の分野では、診断あるいは診断画像を、上位から、「患者（Patient）」、「検査（Study）」、「シリーズ（Series）」、「画像（Image）」の階層で管理している。最下層の「画像」は個々の画像それぞれである。また、「シリーズ」は、複数の「画像」を含み得る。また、「検査」は、複数の「シリーズ」を含み得る。
【００５９】
例えば、頭部撮像検査を例に挙げて説明する。１つの頭部撮像検査に、６つのシリーズが含まれると想定する。シリーズ１では、ＭＲＩ装置１００は、例えば、Ｘ方向、Ｙ方向、Ｚ方向のそれぞれ１枚ずつの位置決め画像を撮像する。シリーズ２では、ＭＲＩ装置１００は、例えば、磁場の均一性を調整する目的のマップ画像を撮像する。シリーズ３では、ＭＲＩ装置１００は、例えば、頭部血流を撮像するために、３次元のＴＯＦ（Time  Of  Flight）撮像を行う。シリーズ４及び５では、ＭＲＩ装置１００は、例えば、特定の撮像面（例えば、アキシャル面）を指定して、その撮像面に対して、それぞれ、Ｔ２強調撮像及びＴ１強調撮像を行う。シリーズ６では、ＭＲＩ装置１００は、例えば、同じ撮像面に対して、脳脊髄液を抑制するＦＬＡＩＲ（Fluid  Attenuated  Inversion  Recovery）撮像を行う。
【００６０】
シリーズ４からシリーズ６までの３つのシリーズは、頭部の同じ撮像面を異なるコントラストで撮像するものである。したがって、これら３つのシリーズでは、位置に関するパラメータ（例えば、スライス中心のオフセット（スライス中心と磁場中心との距離）、スライス方向、位相エンコード方向、リードアウト方向など）をそれぞれ同じ値に設定することが望ましい。また、３つのシリーズの画像を同じ解像度で観察したい場合には、解像度に関するパラメータ（例えば、スライス厚、マトリクスの大きさ、ＦＯＶ（Field  Of  View）など）をそれぞれ同じ値に設定することが望ましい。
【００６１】
例えば、ＭＲＩ装置１００は、シリーズ間で同じ値に設定することが望ましいパラメータを、シリーズ毎の編集画面に配置しておく。例えば、シリーズ４の編集画面、シリーズ５の編集画面、及びシリーズ６の編集画面には、共通のパラメータが含まれる。このような場合、例えば、シリーズ４の編集画面上で、あるパラメータの設定指示が受け付けられると、このパラメータの変更は、シリーズ５及びシリーズ６における同じパラメータにも同様に反映されることが望ましい。言い換えると、シリーズ５及びシリーズ６における同じパラメータは、シリーズ４の編集画面上で設定指示が受け付けられたことにより影響を受けるパラメータである。
【００６２】
このような場合、ＭＲＩ装置１００は、シリーズ４の編集画面、シリーズ５の編集画面、及びシリーズ６の編集画面を、あたかも斜視図のような態様で、且つ、互いに一部を重畳させて並べて表示する。また、ＭＲＩ装置１００は、重畳部分を半透明で表示する。続いて、ＭＲＩ装置１００は、シリーズ４の編集画面上でクリックなどの選択操作を受け付けると、シリーズ４の編集画面を最前面、且つ、編集画面の表示領域の全面に表示する。次に、ＭＲＩ装置１００は、シリーズ４の編集画面上でパラメータ値の設定指示を受け付けると、再び、シリーズ４の編集画面、シリーズ５の編集画面、及びシリーズ６の編集画面を、斜め方向から視た態様で互いに重畳させて並べて表示するとともに、重畳部分を半透明で表示する。このとき、ＭＲＩ装置１００は、パラメータ値の設定により影響を受ける他のパラメータ、すなわち、シリーズ５の編集画面及びシリーズ６の編集画面に含まれる同じパラメータを特定し、特定したパラメータをそれぞれの編集画面内で強調表示する。なお、第２の実施形態と同様に、ＭＲＩ装置１００は、シリーズ５の編集画面及びシリーズ６の編集画面を最前面（及び、例えばその次の面）に配置して、複数の編集画面を並べて表示してもよい。
【００６３】
なお、第１の実施形態において説明した編集画面や表示制御の様々なバリエーションは、シリーズ毎の編集画面を重畳・透過表示する上述の実施形態においても全て同様に適用することが可能である。
【００６４】
また、上述した実施形態においては、ＭＲＩ装置１００が備える計算機システム２０における制御として説明したが、実施形態はこれに限られるものではない。他の医用画像診断装置が備える計算機システムや、例えば、ＰＡＣＳ（Picture  Archiving  and  Communication  System）上のワークステーションや端末装置などに適用されてもよい。この場合、ワークステーションや端末装置は、制御部２６と同様の機能を有する。
【００６５】
また、上述した実施形態においては、「編集画面」を想定して説明したが、実施形態はこれに限られるものではない。例えば、その他の実施形態に係る画像処理装置は、受付部と、表示制御部とを備える。受付部は、操作画面上で、該操作画面に対する操作を受け付ける。表示制御部は、操作画面上で操作を受け付けると、複数の操作画面を互いに重畳させて並べて表示するとともに重畳部分を半透明で表示する。また、操作画面間に影響関係が存在する場合には、上述した実施形態と同様、影響を受けた先の操作画面で、影響を受けた場所を強調表示してもよい。なお、ここでいう「操作画面」は、画像処理装置に表示される画面全般を含み、操作指示を直接受け付ける画面に限られず、例えば、画像処理装置を操作する際に参照される情報を表示する画面も含む。また、この場合、画像処理装置は、医用画像を処理する装置に限られず、汎用的なコンピュータであってもよい。
【００６６】
以上述べた少なくとも一つの実施形態の医用画像診断装置及び画像処理装置によれば、操作画面を適切に表示することができる。
【００６７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６８】
１００  ＭＲＩ装置
２６  制御部
２６ａ  パラメータ値受付部
２６ｂ  編集画面表示制御部
【図１】
2013202087.tif 000003
【図２】
2013202087.tif 000004
【図３】
2013202087.tif 000005
【図４】
2013202087.tif 000006
【図５】
2013202087.tif 000007
【図６】
2013202087.tif 000008
【図７】
2013202087.tif 000009
【図８】
2013202087.tif 000010